(57)【要約】【課題】ユーザが取得した写真をプレゼンス情報として登録・表示する一連のシステムを提供する。【解決手段】プレゼンス情報を見せる側の装置は、ユーザからのプレゼンス登録指示に応じて、撮像データを取得する手段の起動を指定可能に提示する手段と、提示に応じて起動された撮像データを取得する手段により取得された撮像データを表示する手段と、表示された撮像データに対する表示範囲の指定をユーザに求める手段と、指定された表示範囲と撮像データに基づいて登録プレゼンス情報を生成する手段と、生成された登録プレゼンス情報をプレゼンスサーバに送信する手段とを備え、プレゼンスサーバは、送信された登録プレゼンス情報を受信し、当該見せる側の装置のプレゼンス情報として登録する手段を備えたプレゼンス管理システムを提供する。【選択図】  図６
2007124451.tif 000002
【特許請求の範囲】
【請求項１】
プレゼンス情報を管理するプレゼンスサーバとプレゼンス情報を見せる側の装置とプレゼンス情報を見る側の装置がネットワークを介して接続されたプレゼンス管理システムであって、
前記見せる側の装置は、
ユーザからのプレゼンス登録指示に応じて、撮像データを取得する手段の起動を指定可能に提示する手段と、
前記提示に応じて起動された前記撮像データを取得する手段により取得された撮像データを表示する手段と、
表示された撮像データに対する表示範囲の指定をユーザに求める手段と、
指定された前記表示範囲と前記撮像データに基づいて登録プレゼンス情報を生成する手段と、
生成された前記登録プレゼンス情報を前記プレゼンスサーバに送信する手段と、を備え、
前記プレゼンスサーバは、
送信された前記登録プレゼンス情報を受信し、当該見せる側の装置のプレゼンス情報として登録する手段を備えた、
ことを特徴とするプレゼンス管理システム。
【請求項２】
プレゼンス情報を管理するプレゼンスサーバとプレゼンス情報を見せる側の装置とプレゼンス情報を見る側の装置がネットワークを介して接続されたプレゼンス管理システムであって、
前記見せる側の装置は、
撮像データを取得する手段と、
取得された撮像データを表示する手段と、
表示された撮像データに対してプレゼンス登録の指示をユーザに提示する手段と、
前記提示に応じてプレゼンス登録の指示が行われると、前記撮像データに対する表示範囲の指定をユーザに求める手段と、
指定された前記表示範囲と前記撮像データに基づいて登録プレゼンス情報を生成する手段と、
生成された前記登録プレゼンス情報を前記プレゼンスサーバに送信する手段と、を備え、
前記プレゼンスサーバは、
送信された前記登録プレゼンス情報を受信し、当該見せる側の装置のプレゼンス情報として登録する手段を備えた、
ことを特徴とするプレゼンス管理システム。
【請求項３】
プレゼンス情報を管理するプレゼンスサーバとプレゼンス情報を見せる側の装置とプレゼンス情報を見る側の装置がネットワークを介して接続されたプレゼンス管理システムであって、
前記見せる側の装置は、
撮像データを取得する手段と、
取得された撮像データのうち処理対象の撮像データを指定する手段と、
指定された撮像データに対してプレゼンス登録の指示をユーザに提示する手段と、
前記提示に応じてプレゼンス登録の指示が行われると、前記指定された撮像データを表示して表示範囲の指定をユーザに求める手段と、
指定された前記表示範囲と前記撮像データに基づいて登録プレゼンス情報を生成する手段と、
生成された前記登録プレゼンス情報を前記プレゼンスサーバに送信する手段と、を備え、
前記プレゼンスサーバは、
送信された前記登録プレゼンス情報を受信し、当該見せる側の装置のプレゼンス情報として登録する手段を備えた、
ことを特徴とするプレゼンス管理システム。
【請求項４】
前記撮像データを取得する手段は、撮像素子を用いた撮像手段であることを特徴とする請求項１から３のいずれかに記載のプレゼンス管理システム。
【請求項５】
前記撮像データを取得する手段は、保存されている撮像データの中から前記処理対象の撮像データの候補を表示する手段と、
前記処理対象の撮像データを指定する手段は、前記撮像データの候補からユーザにより指定された撮像データのうちから指定を行うことを特徴とする請求項３に記載のプレゼンス管理システム。
【請求項６】
前記登録プレゼンス情報は、前記表示範囲と前記撮像データとを含み、
前記プレゼンスサーバは、前記表示範囲に基づいて前記撮像データを所定のサイズに加工した登録撮像データを生成して前記プレゼンス情報として登録することを特徴とする請求項１から５のいずれかに記載のプレゼンス管理システム。
【請求項７】
前記登録プレゼンス情報を生成する手段は、前記表示範囲に基づいて前記撮像データを所定のサイズに加工して登録撮像データを生成し、前記登録撮像データを前記登録プレゼンス情報に含めることを特徴とする請求項１から５のいずれかに記載のプレゼンス管理システム。
【請求項８】
前記プレゼンス情報を見る側の装置は、
前記プレゼンスサーバから、前記プレゼンス情報として、前記登録撮像データを取得して表示すると共に、要求に応じて、前記取得された撮像データを取得して表示する手段を有することを特徴とする請求項６または７に記載のプレゼンス管理システム。
【請求項９】
前記登録プレゼンス情報には、更に、前記撮像データと関連づけられた日時情報、位置情報、コメント情報等の少なくとも一つを含む詳細情報が含まれていることを特徴とする請求項１から８のいずれかに記載のプレゼンス管理システム。
【請求項１０】
前記プレゼンスサーバは、前記登録プレゼンス情報を前記詳細情報のうち少なくともいずれか一つと関連づけて登録することを特徴とする請求項９に記載のプレゼンス管理システム。
【請求項１１】
ユーザからのプレゼンス登録指示に応じて、撮像データを取得する手段の起動を指定可能に提示する手段と、
前記提示に応じて起動された前記撮像データを取得する手段により取得された撮像データを表示する手段と、
表示された撮像データに対する表示範囲の指定をユーザに求める手段と、
指定された前記表示範囲と前記撮像データに基づいて登録プレゼンス情報を生成する手段と、
生成された前記登録プレゼンス情報を、プレゼンス情報を管理するプレゼンスサーバに送信する手段と、を備えたことを特徴とする装置。
【請求項１２】
撮像データを取得する手段と、
取得された撮像データを表示する手段と、
表示された撮像データに対してプレゼンス登録の指示をユーザに提示する手段と、
前記提示に応じてプレゼンス登録の指示が行われると、前記撮像データに対する表示範囲の指定をユーザに求める手段と、
指定された前記表示範囲と前記撮像データに基づいて登録プレゼンス情報を生成する手段と、
生成された前記登録プレゼンス情報を、プレゼンス情報を管理するプレゼンスサーバに送信する手段と、を備えたことを特徴とする装置。
【請求項１３】
撮像データを取得する手段と、
取得された撮像データのうち処理対象の撮像データを指定する手段と、
指定された撮像データに対してプレゼンス登録の指示をユーザに提示する手段と、
前記提示に応じてプレゼンス登録の指示が行われると、前記指定された撮像データを表示して表示範囲の指定をユーザに求める手段と、
指定された前記表示範囲と前記撮像データに基づいて登録プレゼンス情報を生成する手段と、
生成された前記登録プレゼンス情報を、プレゼンス情報を管理するプレゼンスサーバに送信する手段と、を備えたことを特徴とする装置。
【請求項１４】
前記撮像データを取得する手段は、撮像素子を用いた撮像手段であることを特徴とする請求項１１から１３のいずれかに記載の装置。
【請求項１５】
前記撮像データを取得する手段は、保存されている撮像データの中から前記処理対象の撮像データの候補を表示する手段と、
前記処理対象の撮像データを指定する手段は、前記撮像データの候補からユーザにより指定された撮像データのうちから指定を行うことを特徴とする請求項１３に記載の装置。
【請求項１６】
前記登録プレゼンス情報を生成する手段は、前記表示範囲に基づいて前記撮像データを所定のサイズに加工して登録撮像データを生成し、前記登録撮像データを前記登録プレゼンス情報に含めることを特徴とする請求項１１から１５のいずれかに記載の装置。
【請求項１７】
前記登録プレゼンス情報には、更に、前記撮像データと関連づけられた日時情報、位置情報、コメント情報等の少なくとも一つを含む詳細情報が含まれていることを特徴とする請求項１１から１６のいずれかに記載の装置。
【請求項１８】
プレゼンス情報を管理するプレゼンスサーバとプレゼンス情報を見せる側の装置とプレゼンス情報を見る側の装置がネットワークを介して接続されたプレゼンス管理システムにおけるプレゼンス管理方法であって、
前記見せる側の装置による、
ユーザからのプレゼンス登録指示に応じて、撮像データを取得する手段の起動を指定可能に提示するステップと、
前記提示に応じて起動された前記撮像データを取得する手段により取得された撮像データを表示するステップと、
表示された撮像データに対する表示範囲の指定をユーザに求めるステップと、
指定された前記表示範囲と前記撮像データに基づいて登録プレゼンス情報を生成するステップと、
生成された前記登録プレゼンス情報を前記プレゼンスサーバに送信するステップと、
前記プレゼンスサーバによる、
送信された前記登録プレゼンス情報を受信し、当該見せる側の装置のプレゼンス情報として登録するステップと、
を含むことを特徴とするプレゼンス管理方法。
【請求項１９】
プレゼンス情報を管理するプレゼンスサーバとプレゼンス情報を見せる側の装置とプレゼンス情報を見る側の装置がネットワークを介して接続されたプレゼンス管理システムにおけるプレゼンス管理方法であって、
前記見せる側の装置による、
撮像データを取得するステップと、
取得された撮像データを表示するステップと、
表示された撮像データに対してプレゼンス登録の指示をユーザに提示するステップと、
前記提示に応じてプレゼンス登録の指示が行われると、前記撮像データに対する表示範囲の指定をユーザに求めるステップと、
指定された前記表示範囲と前記撮像データに基づいて登録プレゼンス情報を生成するステップと、
生成された前記登録プレゼンス情報を前記プレゼンスサーバに送信するステップと、
前記プレゼンスサーバによる、
送信された前記登録プレゼンス情報を受信し、当該見せる側の装置のプレゼンス情報として登録するステップと、
を含むことを特徴とするプレゼンス管理方法。
【請求項２０】
プレゼンス情報を管理するプレゼンスサーバとプレゼンス情報を見せる側の装置とプレゼンス情報を見る側の装置がネットワークを介して接続されたプレゼンス管理システムにおけるプレゼンス管理方法であって、
前記見せる側の装置による、
撮像データを取得するステップと、
取得された撮像データのうち処理対象の撮像データを指定するステップと、
指定された撮像データに対してプレゼンス登録の指示をユーザに提示するステップと、
前記提示に応じてプレゼンス登録の指示が行われると、前記指定された撮像データを表示して表示範囲の指定をユーザに求めるステップと、
指定された前記表示範囲と前記撮像データに基づいて登録プレゼンス情報を生成するステップと、
生成された前記登録プレゼンス情報を前記プレゼンスサーバに送信するステップと、
前記プレゼンスサーバによる、
送信された前記登録プレゼンス情報を受信し、当該見せる側の装置のプレゼンス情報として登録するステップと、
を含むことを特徴とするプレゼンス管理方法。
【発明の詳細な説明】
【技術分野】
【０００１】
本発明は、プレゼンス情報を見せる側の機器とプレゼンス情報を見る側の機器とプレゼンスサーバとがネットワークを介して接続されたプレゼンス管理システム、プレゼンス管理方法およびプレゼンス登録装置に関するものである。
【背景技術】
【０００２】
ブロードバンドサービスの展開に伴い、様々なコミュニケーションサービスが提供されるようになってきている。例えば、インターネット電話や、インスタントメッセージ（ＩＭ）サービス等がある。
【０００３】
例えば、インターネット電話同士の通話では、通話相手もネットワーク上にいないと電話を接続することができないため、相手のログイン状態を知ることが重要となる。その手段として、プレゼンスがある。プレゼンスとは、相手の状態を知る機能である。プレゼンスを実現するための代表的な技術として、ＳＩＰ等が挙げられる。ＳＩＰ（Session Initiation Protocol）とは、ＶｏＩＰ（Voice over Internet Protocol）を応用したインターネット電話などで用いられる、通話制御プロトコルの一つである。
【０００４】
近年、携帯電話機にもプレゼンス機能が搭載され始めてきている。携帯電話機にプレゼンス機能を搭載することで、相手の現在の状況が、通話中であるのか、外出中や会議中であるのかなどを事前に確認することができる。したがって、ユーザは、相手の状況を確認したうえで、音声通話、インスタントメッセージ、メールなど最適な手段で相手に連絡を取ることができる。
【０００５】
図１２は、プレゼンスサーバと端末とにより構成されるプレゼンスシステムを説明するための図である。プレゼンスサーバと各端末とはインターネット等のネットワークを介して接続されている。図１２に示すプレゼンスシステムでは、端末Ａは相手の状態（プレゼンス情報）を見る側であり、端末Ｂは自分の状態（プレゼンス情報）を見せる側である。サーバＣはプレゼンスサーバである。プレゼンスサーバＣは、各端末から提供されたプレゼンス情報を保持・管理して、要求のある端末に送信する機能を有する。図１２に示す例では、プレゼンスサーバＣは予め端末Ｂのプレゼンス情報を有しているものとする。以下、本システムの処理手順の一例を説明する。
【０００６】
まず、（１）端末ＡがプレゼンスサーバＣに対して端末Ｂのプレゼンス情報の開示依頼を行う。その後、（２）プレゼンスサーバＣは、端末Ｂのプレゼンス情報を端末Ａへ提供する。すると端末Ａは端末Ｂのプレゼンス情報を取得することにより、端末Ａの画面上に端末Ｂのプレゼンス情報を表示させることができるようになる。一方、端末Ｂのプレゼンス情報が変更される処理が行われると、（３）端末ＢはプレゼンスサーバＣに対し端末Ｂのプレゼンス情報を更新するよう指示を出す。その後、プレゼンスサーバＣでは、端末Ｂに関するプレゼンス情報が更新され、（４）端末Ａへ更新された端末Ｂのプレゼンス情報を提供する。以上が、プレゼンスサーバと各端末とにより構成されるプレゼンスシステムの処理手順である。なお、図１２に示すプレゼンスシステムでは端末Ａおよび端末Ｂをそれぞれ１つずつ示したが、端末Ａに対応する端末も、端末Ｂに対応する端末もそれぞれ複数備えることができる。また、一つの端末が、端末Ａと端末Ｂとが有するプレゼンスに係る機能、すなわち見る側と見せる側の機能の双方、を備えていてもよい。
【０００７】
また、プレゼンス情報を表示・閲覧可能なＩＭ等のアプリケーションでは、ユーザのプレゼンス情報として画像（写真）を登録し、公開することが可能である。
【０００８】
例えば、非特許文献１には、プレゼンスクラブという、写真によるコミュニケーションとプレゼンスを連携させたアプリケーションについて記載されており、以下に示すような内容が紹介されている。例えば、写真及びテキストをプレゼンス情報の対象としており、カメラ付き携帯電話を用いて写真を入力し、ゲートウエイサーバを介して、プレゼンスサーバにプレゼンス情報として登録する。また、グループ写真（過去のプレゼンス）を、選択すると、その写真に写っている友達のプレゼンス情報を表示させることができる。
【０００９】
また、特許文献１には、携帯用無線通信ハンドセットにおける方法であって、所定のエンティティに関するプレゼンス情報を要求する工程と、前記要求に応答して、所定エンティティの存在に関するプレゼンス情報を受信する工程と、前記要求に応答して受信されたプレゼンス情報に基づいて、携帯用無線通信ハンドセット上でグラフィックプレゼンス情報を表示する工程とから成る方法が開示されている。また、特許文献１には、たとえば、加入者側で受信されたプレゼンス情報が、エンティティが楽しい気持ちでいることを示している場合、加入者はベースラインカリカチュアを楽しい顔に修正する、或いは、エンティティが悲しんでいる場合、加入者はカリカチュアを悲しい顔に修正することが記載されている。すなわち、プレゼンスの表現方法の一つとして予め登録された画像（グラフィックプレゼンス情報）が用いられている。
【００１０】
【非特許文献１】「プレゼンスという名のＢＢ時代の新たなサービスに向けて」      ＮＴＴ技術ジャーナル2003 vol.15 No.6 p.62-65
【特許文献１】特表２００５−５２２１２３
【発明の開示】
【発明が解決しようとする課題】
【００１１】
しかし、非特許文献１では、カメラ付き携帯電話により撮影した写真をプレゼンスサーバへ登録することが記載されているが、具体的な方法については何等開示されておらず、希望的な概念にとどまっている。また、昨今の携帯電話に搭載されているカメラは、１２０×１６０ピクセル等の小さいサイズから、１２８０×９６０ピクセル等の大きなサイズまで撮影が可能であるため、このように様々なサイズの写真をプレゼンス情報として登録するためには、色々と加工が必要と考えられるが、非特許文献１には、そのような問題点や解決方法については何等触れられていない。
【００１２】
また、特許文献１に記載の方法では、画像をプレゼンスの表現方法の一つとして用いているが、ユーザが撮影した写真をプレゼンス情報に登録するという方法は記載されていない。
【００１３】
したがって、従来は、ユーザが撮像或いは選択した写真をプレゼンス情報として登録・表示するための具体的な方法は提示されておらず、具体的に実現する際に起こるであろう問題点についても、何等認識されていなかった。
【００１４】
そこで本発明は、上述の問題点に鑑み、ユーザが取得した写真をプレゼンス情報として、容易に登録・表示するための一連の方法を実現するためのプレゼンス登録装置、プレゼンス管理方法、プレゼンス管理システムを提供することを目的とする。
【課題を解決するための手段】
【００１５】
上記目的を達成するために、本発明では、プレゼンス情報を管理するプレゼンスサーバとプレゼンス情報を見せる側の装置とプレゼンス情報を見る側の装置がネットワークを介して接続されたプレゼンス管理システムであって、前記見せる側の装置は、ユーザからのプレゼンス登録指示に応じて、撮像データを取得する手段の起動を指定可能に提示する手段と、前記提示に応じて起動された前記撮像データを取得する手段により取得された撮像データを表示する手段と、表示された撮像データに対する表示範囲の指定をユーザに求める手段と、指定された前記表示範囲と前記撮像データに基づいて登録プレゼンス情報を生成する手段と、生成された前記登録プレゼンス情報を前記プレゼンスサーバに送信する手段と、を備え、前記プレゼンスサーバは、送信された前記登録プレゼンス情報を受信し、当該見せる側の装置のプレゼンス情報として登録する手段を備えたことを特徴とするプレゼンス管理システムを提供する。
【００１６】
また、本発明では、プレゼンス情報を管理するプレゼンスサーバとプレゼンス情報を見せる側の装置とプレゼンス情報を見る側の装置がネットワークを介して接続されたプレゼンス管理システムであって、前記見せる側の装置は、撮像データを取得する手段と、取得された撮像データを表示する手段と、表示された撮像データに対してプレゼンス登録の指示をユーザに提示する手段と、前記提示に応じてプレゼンス登録の指示が行われると、前記撮像データに対する表示範囲の指定をユーザに求める手段と、指定された前記表示範囲と前記撮像データに基づいて登録プレゼンス情報を生成する手段と、生成された前記登録プレゼンス情報を前記プレゼンスサーバに送信する手段と、を備え、前記プレゼンスサーバは、送信された前記登録プレゼンス情報を受信し、当該見せる側の装置のプレゼンス情報として登録する手段を備えたことを特徴とするプレゼンス管理システムを提供する。
【００１７】
また、本発明では、プレゼンス情報を管理するプレゼンスサーバとプレゼンス情報を見せる側の装置とプレゼンス情報を見る側の装置がネットワークを介して接続されたプレゼンス管理システムであって、前記見せる側の装置は、撮像データを取得する手段と、取得された撮像データのうち処理対象の撮像データを指定する手段と、指定された撮像データに対してプレゼンス登録の指示をユーザに提示する手段と、前記提示に応じてプレゼンス登録の指示が行われると、前記指定された撮像データを表示して表示範囲の指定をユーザに求める手段と、指定された前記表示範囲と前記撮像データに基づいて登録プレゼンス情報を生成する手段と、生成された前記登録プレゼンス情報を前記プレゼンスサーバに送信する手段と、を備え、前記プレゼンスサーバは、送信された前記登録プレゼンス情報を受信し、当該見せる側の装置のプレゼンス情報として登録する手段を備えたことを特徴とするプレゼンス管理システムを提供する。
【００１８】
したがって、本発明によれば、ユーザによるプレゼンス登録の指示に基づくプレゼンス登録の処理と撮像データの取得とが互いに連携して行われ、また、取得された撮像データに対して、プレゼンス用画像（登録プレゼンス情報）としての加工を行った上でプレゼンスサーバに送信することができるため、撮像データの取得からプレゼンス情報の更新までを容易に行うための一連の手順およびそれに伴うシステムを提供することができる。
【００１９】
また、本発明に係るプレゼンス管理システムでは、前記撮像データを取得する手段は、撮像素子を用いた撮像手段であることを特徴とする。また、前記撮像データを取得する手段は、保存されている撮像データの中から前記処理対象の撮像データの候補を表示する手段と、前記処理対象の撮像データを指定する手段は、前記撮像データの候補からユーザにより指定された撮像データのうちから指定を行うことを特徴とする。
【００２０】
また、本発明に係るプレゼンス管理システムでは、前記登録プレゼンス情報は、前記表示範囲と前記撮像データとを含み、前記プレゼンスサーバは、前記表示範囲に基づいて前記撮像データを所定のサイズに加工した登録撮像データを生成して前記プレゼンス情報として登録することを特徴とする。或いは、前記登録プレゼンス情報を生成する手段は、前記表示範囲に基づいて前記撮像データを所定のサイズに加工して登録撮像データを生成し、前記登録撮像データを前記登録プレゼンス情報に含めることを特徴とする。
【００２１】
また、本発明に係るプレゼンス管理システムでは、前記プレゼンス情報を見る側の装置は、前記プレゼンスサーバから、前記プレゼンス情報として、前記登録撮像データを取得して表示すると共に、要求に応じて、前記取得された撮像データを取得して表示する手段を有することを特徴とする。
【００２２】
また、本発明に係るプレゼンス管理システムでは、前記登録プレゼンス情報には、更に、前記撮像データと関連づけられた日時情報、位置情報、コメント情報等の少なくとも一つを含む詳細情報が含まれていることを特徴とする。さらに、前記プレゼンスサーバは、前記登録プレゼンス情報を前記詳細情報のうち少なくともいずれか一つと関連づけて登録することを特徴とする。
【００２３】
また、本発明では、ユーザからのプレゼンス登録指示に応じて、撮像データを取得する手段の起動を指定可能に提示する手段と、前記提示に応じて起動された前記撮像データを取得する手段により取得された撮像データを表示する手段と、表示された撮像データに対する表示範囲の指定をユーザに求める手段と、指定された前記表示範囲と前記撮像データに基づいて登録プレゼンス情報を生成する手段と、生成された前記登録プレゼンス情報を、プレゼンス情報を管理するプレゼンスサーバに送信する手段と、を備えたことを特徴とする装置を提供する。
【００２４】
また、本発明では、撮像データを取得する手段と、取得された撮像データを表示する手段と、表示された撮像データに対してプレゼンス登録の指示をユーザに提示する手段と、前記提示に応じてプレゼンス登録の指示が行われると、前記撮像データに対する表示範囲の指定をユーザに求める手段と、指定された前記表示範囲と前記撮像データに基づいて登録プレゼンス情報を生成する手段と、生成された前記登録プレゼンス情報を、プレゼンス情報を管理するプレゼンスサーバに送信する手段と、を備えたことを特徴とする装置を提供する。
【００２５】
また、本発明では、撮像データを取得する手段と、取得された撮像データのうち処理対象の撮像データを指定する手段と、指定された撮像データに対してプレゼンス登録の指示をユーザに提示する手段と、前記提示に応じてプレゼンス登録の指示が行われると、前記指定された撮像データを表示して表示範囲の指定をユーザに求める手段と、指定された前記表示範囲と前記撮像データに基づいて登録プレゼンス情報を生成する手段と、生成された前記登録プレゼンス情報を、プレゼンス情報を管理するプレゼンスサーバに送信する手段と、を備えたことを特徴とする装置を提供する。
【００２６】
また、本発明では、プレゼンス情報を管理するプレゼンスサーバとプレゼンス情報を見せる側の装置とプレゼンス情報を見る側の装置がネットワークを介して接続されたプレゼンス管理システムにおけるプレゼンス管理方法であって、前記見せる側の装置による、ユーザからのプレゼンス登録指示に応じて、撮像データを取得する手段の起動を指定可能に提示するステップと、前記提示に応じて起動された前記撮像データを取得する手段により取得された撮像データを表示するステップと、表示された撮像データに対する表示範囲の指定をユーザに求めるステップと、指定された前記表示範囲と前記撮像データに基づいて登録プレゼンス情報を生成するステップと、生成された前記登録プレゼンス情報を前記プレゼンスサーバに送信するステップと、前記プレゼンスサーバによる、送信された前記登録プレゼンス情報を受信し、当該見せる側の装置のプレゼンス情報として登録するステップと、を含むことを特徴とするプレゼンス管理方法を提供する。
【００２７】
また、本発明では、プレゼンス情報を管理するプレゼンスサーバとプレゼンス情報を見せる側の装置とプレゼンス情報を見る側の装置がネットワークを介して接続されたプレゼンス管理システムにおけるプレゼンス管理方法であって、前記見せる側の装置による、撮像データを取得するステップと、取得された撮像データを表示するステップと、表示された撮像データに対してプレゼンス登録の指示をユーザに提示するステップと、前記提示に応じてプレゼンス登録の指示が行われると、前記撮像データに対する表示範囲の指定をユーザに求めるステップと、指定された前記表示範囲と前記撮像データに基づいて登録プレゼンス情報を生成するステップと、生成された前記登録プレゼンス情報を前記プレゼンスサーバに送信するステップと、前記プレゼンスサーバによる、送信された前記登録プレゼンス情報を受信し、当該見せる側の装置のプレゼンス情報として登録するステップと、を含むことを特徴とするプレゼンス管理方法を提供する。
【００２８】
また、本発明では、プレゼンス情報を管理するプレゼンスサーバとプレゼンス情報を見せる側の装置とプレゼンス情報を見る側の装置がネットワークを介して接続されたプレゼンス管理システムにおけるプレゼンス管理方法であって、前記見せる側の装置による、撮像データを取得するステップと、取得された撮像データのうち処理対象の撮像データを指定するステップと、指定された撮像データに対してプレゼンス登録の指示をユーザに提示するステップと、前記提示に応じてプレゼンス登録の指示が行われると、前記指定された撮像データを表示して表示範囲の指定をユーザに求めるステップと、指定された前記表示範囲と前記撮像データに基づいて登録プレゼンス情報を生成するステップと、生成された前記登録プレゼンス情報を前記プレゼンスサーバに送信するステップと、前記プレゼンスサーバによる、送信された前記登録プレゼンス情報を受信し、当該見せる側の装置のプレゼンス情報として登録するステップと、を含むことを特徴とするプレゼンス管理方法を提供する。
【発明の効果】
【００２９】
従って、本発明によれば、ユーザによるプレゼンス登録の指示に基づくプレゼンス登録の処理と、撮像データとしての写真の取得とが互いに連携して行われることにより、ユーザが取得した写真をプレゼンス情報として、容易に登録・表示するための一連の方法を実現するためのプレゼンス登録装置、プレゼンス管理方法、プレゼンス管理システムを提供することができる。
【発明を実施するための最良の形態】
【００３０】
以下、図面を参照して、本発明に係るシステムについて説明する。
【００３１】
図１は、本発明に係るシステム１を示す図である。システム１には、プレゼンスサーバ１０と複数の端末装置が含まれる。例えば、システム１は、端末装置２０と端末装置３０とを含む。なお、本発明の実施形態では、各端末装置は携帯電話端末であるものとして説明する。しかし、本発明のシステムに用いられる端末装置は、携帯電話端末に限定されるものではなく、ＰＣ、ＰＤＡ、その他の機器等様々な端末装置を用いることができる。
【００３２】
以下、端末装置２０（ユーザＡ）および端末装置３０（ユーザＢ）の関係は、端末装置２０がプレゼンス情報を見せる側、端末装置３０がプレゼンス情報を見る側であるものとして説明を行う。端末装置２０および端末装置３０はともに、プレゼンス情報を見せる側の機能とプレゼンス情報を見る側の機能を両方とも有しているものとする。しかし、端末装置２０および端末装置３０は、その機能が異なっていてもよい。すなわち、端末装置２０は、少なくとも、プレゼンス情報を見せる側として必要な機能、端末装置３０は、少なくとも、プレゼンス情報を見る側として必要な機能を備えていればよい。
【００３３】
プレゼンスサーバ１０は、送受信部１１と、プレゼンス登録手段１２と、プレゼンス情報データベース１３とを有する。送受信部１１は、インターネットを介して端末装置２０や端末装置３０等との間でデータを送受信する機能を有する。プレゼンス登録手段１２は、端末装置２０や端末装置３０からのプレゼンス情報の設定・変更に係る種々のデータに基づいて、プレゼンス情報データベース１３へプレゼンス情報を登録する機能を有する。
【００３４】
図２は本発明に係るシステムに用いられる端末装置２０のハードウェア構成を表す機能ブロック図である（上述に説明したように端末装置３０もその構成は同様である）。端末装置２０は、装置全体を制御するＣＰＵ１００を有する。ＲＯＭ１０１、ＲＡＭ１０２、フラッシュメモリ１０３、無線通信制御部１０４、液晶ディスプレイ１１１、入力インタフェース部１１３、音声制御部１１７、および撮像部１２３はそれぞれＣＰＵ１００に接続されている。また、無線通信制御部１０４にはアンテナ１０５が、入力インタフェース部１１３には操作部（オン／オフフックボタン、ダイヤルボタン、方向指示キー等）が、音声制御部１１７にはマイク１１８およびスピーカ１１９が接続されている。なお、入力インタフェース部１１３に接続される操作部は、表示画面上に表示されるポインタを移動させるための機器や、液晶ディスプレイ１１１を利用したタッチパネル等を含めることができる。
【００３５】
ＲＯＭ１０１は、ＣＰＵ１００により実行される各種プログラムおよび固定的なデータを格納した不揮発性の読み出し専用メモリである。ＲＡＭ１０２は、ＣＰＵ１００の作業領域およびデータの一時記憶領域を提供する書き込み可能なメモリである。フラッシュメモリ１０３は、追加的なアプリケーションや各種データを記憶する再書き込み可能な不揮発性メモリである。
【００３６】
無線通信制御部１０４は、アンテナ１０５を介して基地局との間で音声およびデータの無線通信（送受信）を行う機能を有する。すなわち、端末装置２０は基地局を介してインターネット上のプレゼンスサーバ１０との間でデータの送受信を行うことができる。液晶ディスプレイ１１１は表示画面を有する。入力インタフェース部１１３は、操作部の各種キーによる入力操作を受け付ける機能を有する。音声制御部１１７は、マイク１１８およびスピーカ１１９を介して音声の入出力を制御する。
【００３７】
撮像部１２３は、ＣＣＤ等の撮像素子およびその制御回路等を有する所謂携帯電話用のカメラである。撮像部１２３は撮像動作により画像データを生成する。そして、該画像データは、表示画面上に画像として表示される。なお、本発明は、ユーザが端末装置２０に備えられたカメラを用いて写真撮影を行い、撮影された写真をプレゼンス情報として登録するシステムを提供するものである。ここで、撮像部１２３により生成された画像データはデジタルデータであり、ディスプレイ上に画像として表示されるが、本発明では、例えば、ユーザが、気になったもの、驚いたもの、知り合いに知らせたいもの、などを写真撮影し、それを自己のプレゼンスとして相手方に写真で見せるという意味を含め撮像部１２３により生成されたデータを「写真データ（撮像データ）」といい、また、その表示を「写真」というものとする。また、例えば、本発明では、端末装置２０により撮影された写真に所定の加工を施してプレゼンスサーバ１０へ登録する（或いはプレゼンスサーバ１０において当該所定の加工を施す）が、その後、端末装置３０においてその写真は、「プレゼンス用写真」として表示される。すなわち、端末装置３０は、プレゼンスサーバ１０から「プレゼンス用写真データ（登録撮像データ）」を取得する。
【００３８】
フラッシュメモリ１０３は、例えば、写真データを保持することができるデータフォルダ、およびデータフォルダを管理するモジュール等を有している。端末装置２０は、データフォルダ内の写真データをユーザに選択させ画面上に表示させる機能を有する。
【００３９】
図３（a）は、端末装置２０が備えるアプリケーションおよび各種機能の構成を示す図である。端末装置２０は、ＰＩＭ（Personal Information Manager）アプリケーション２０１を有する。ＰＩＭアプリケーション２０１には、アドレス帳機能２０２、インスタントメッセージ（ＩＭ）機能２０３、プレゼンス管理機能２０４、スケジューラ２０５等が含まれている。
【００４０】
プレゼンス管理機能２０４は、端末装置２０のプレゼンス情報を管理する機能を有し、その一つの機能として、プレゼンスサーバ１０へ登録するための写真データ等（登録プレゼンス情報）を生成する機能を有する。
【００４１】
図３（b）は、プレゼンス管理機能２０４における、登録プレゼンス情報を生成する機能を示すブロック図である。プレゼンス管理機能２０４は、プレゼンス登録の指示を受け付け、撮像部１２３により取得された写真データ或いはデータフォルダ（フラッシュメモリ１０３）から取得した写真データ（これらの写真データを加工後のプレゼンス用写真データと対比するために「オリジナル写真データ」と称すものとする）を受け取り、ユーザにオリジナル写真からプレゼンス用写真として表示する範囲を選択させて、登録プレゼンス情報（後述）を生成する機能を有する。或いは、プレゼンス管理機能２０４は、プレゼンス登録の指示を受け付け、撮像部１２３のカメラを起動或いはデータフォルダ（フラッシュメモリ１０３）内のオリジナル写真の一覧を表示させる指示を送り、撮像部１２３或いはフラッシュメモリ１０３からのオリジナル写真を受け取り、ユーザにオリジナル写真からプレゼンス用写真として表示する範囲を選択させて、登録プレゼンス情報を生成する機能を有する。また、プレゼンス管理機能２０４は、その写真に対してコメントを付加することや日時情報、位置情報等を付加することも可能である。表示範囲が選択されたオリジナル写真データに基づいて生成される登録プレゼンス情報は、例えば、以下のパターンがある。
（１）プレゼンス用写真データのみ
（２）オリジナル写真データと表示範囲を示す情報（指定範囲情報）
（３）プレゼンス用写真データとオリジナル写真データ
（４）上記（１）から（３）の各々にコメント情報、日時情報、位置情報等の詳細情報を付したもの
また、プレゼンス管理機能２０４は、生成された登録プレゼンス情報を無線通信制御部１０４に受け渡し、送信依頼を行う機能を有する。
【００４２】
また、プレゼンス管理機能２０４は、例えば、待ち受け画面にプレゼンス用写真を含むプレゼンス情報を表示させることができる。また、プレゼンス管理機能２０４は、後述するようなプレゼンス編集用画面等を画面上に表示させることができる。
【００４３】
アドレス帳機能２０２は、例えばアドレス帳画面から、プレゼンスユーザ（プレゼンスユーザとは、プレゼンス情報を見せようとするユーザであって、端末装置２０に登録されているユーザである）の詳細表示画面を表示させることによりそのプレゼンスユーザのプレゼンス情報を表示させることができる。また、アドレス帳機能２０２を用いて、端末装置２０のプレゼンス情報を設定・更新することができる。
【００４４】
スケジューラ２０５は、端末装置２０のユーザＡのスケジュールを管理機能を有するが、スケジュールの設定と共にプレゼンス情報を設定・更新することができる構成であってもよい。
【００４５】
以下、ユーザＡが、端末装置２０において自己のプレゼンス情報（マイ・プレゼンス）を設定する際の手順について説明する。
【００４６】
図４及び図５は、ユーザが自己のプレゼンス情報をプレゼンス編集用画面にて設定・変更する場合を示す画面遷移図である。なお、図４及び図５に示される図は、本発明の実施形態の一例であり、本発明はそれらの表示形態に限定されるものではない。
【００４７】
図４（a）は、マイ・プレゼンスおよび複数のプレゼンスユーザのプレゼンスを表示している画面である。マイ・プレゼンスはマイ・プレゼンス表示領域３０１に、プレゼンスユーザのプレゼンスはプレゼンス表示領域３０２にそれぞれ表示される。例えばプレゼンス表示領域３０２は、画像表示領域３０２aとステータス表示領域３０２bとにより構成されている。これらの表示は、例えば、待ち受け画面において表示される。例えば、マイ・プレゼンス表示領域３０１にフォーカスを当てて選択操作が行われると、マイ・プレゼンス設定画面へと移行する。
【００４８】
図４（b）は、マイ・プレゼンス設定画面の一例である。マイ・プレゼンス設定画面は、例えば、画像表示領域３０１aと、メインステータスである「状態」、「コメント」を表示するメインステータス表示領域３０１bと、サブステータスである「Voice Call（音声通話）」、「Video Call（テレビ電話）」、「PTT（トランシーバ）」、「Mail」、「Chat」のそれぞれの状態を表示するサブステータス表示領域３０１cとにより構成されている。なお、この例では、「状態」は「仕事中」、「コメント」は「仕事中（+_+）」、「Voice Call」は「緊急時可」、「Video Call」は「不可」、「PTT」は「不可」、「Mail」は「返信可」、「Chat」は「可」にそれぞれ設定されている。また、待ち受け画面表示ＯＮ／ＯＦＦの設定や、プライバシーレベルの設定（例えば、プレゼンスユーザのうちどのプレゼンスユーザに自分の情報を開示するか等を設定可能）を行うこともできる。
【００４９】
図４（b）において、例えば、画像表示領域３０１aにフォーカスを当てると、画面下段にある「メニュー」の項目には、「プレゼンス写真撮影」や「プレゼンス写真選択（データフォルダから）」等の項目が含まれるようになる（ポップアップ等によりそれらの項目が表示されてもよい）。そこで、ユーザが「プレゼンス写真撮影」を選択すると、写真撮影画面へと移行する。写真撮影画面では、ユーザは、カメラを起動させて写真撮影を行うことができる。得られた写真は、プレゼンス管理機能２０４による所定の処理を経てプレゼンスサーバ１０へ登録することができる。なお、「プレゼンス写真選択」が選択されると、データフォルダ内の写真一覧リストが表示され、ユーザがその表示一覧リストから写真を選択可能となる。また、例えば、「状態」、「コメント」のメインステータス表示領域３０１bにフォーカスを当てて選択操作を行うと、プレゼンス編集画面（図５）へと移行する。
【００５０】
図５は、プレゼンス編集画面の一例である。例えば、「状態（仕事中）」を変更したい場合、その領域にフォーカスを当て（図５（a））選択操作を行う。すると、図５（b）に示すように、「状態」の選択肢が表示される。「状態」の選択肢としては、例えば、「仕事中」、「食事中」、「移動中」、「休憩中」、「遊び中」、「飲み中」、「取り込み中」、「一時退席中」、「端末使用中」、「就寝中」、「授業中」、「未記入」、「新規登録」等の項目がある。
【００５１】
図５（b）において、例えば、「移動中」を選択してＯＫボタンを選択すると、図５（c）の画面へ移行する。図５（c）に示すプレゼンス編集画面では、「状態」が「仕事中」から「移動中」に変更されたことにより、コメントが「仕事中（+_+）」から「乗車中、通話できません」へ、「Voice Call」が「緊急時可」から「不可」へ、それぞれ変更されている。すなわち、本発明の一つの実施形態によれば、メインステータスの状態（「仕事中」、「移動中」等）ごとに、サブステータスの組み合わせが予め決められている。すなわち、例えば、
メインステータス「仕事中」に対するサブステータスの組み合わせは、
Voice Call：緊急時可
Video Call：不可
PTT：不可
Mail：返信可
Chat：可
であり、
メインステータス「移動中」に対するサブステータスの組み合わせは、
Voice Call：不可
Video Call：不可
PTT：不可
Mail：返信可
Chat：可
である。この場合、サブステータスの個々のプレゼンス情報をいちいち設定しなくてよいためユーザフレンドリーなプレゼンス設定が可能となる。当然、個々のプレゼンス情報を設定可能であってもよい。プレゼンス編集後、例えば、表示画面右下のＯＫを選択すれば、プレゼンスサーバへ端末装置１０のプレゼンス情報を更新するよう指示が送られる。
【００５２】
図４及び図５では、マイ・プレゼンス設定画面からプレゼンスの編集を行ったが、例えば、ＰＩＭアプリケーション２０１のスケジューラ２０５を利用して、プレゼンスを設定することも可能である。
【００５３】
図６は、端末装置２０において、プレゼンス情報としての写真がプレゼンスサーバ１０へアップロードされるまでの処理を示すフローチャートである。なお、本発明の実施形態では、プレゼンスサーバ１０へ写真がアップロードされる際の処理は少なくとも３通りある。
【００５４】
図６（a）は、端末装置２０における、プレゼンスサーバ１０へ写真をアップロードするための処理の第一のパターンである。
【００５５】
ステップＳ１０１では、端末装置２０はプレゼンス登録画面を表示する。例えば、図４（ｂ）に示すマイ・プレゼンス設定画面のような画面が想定される。ここで、マイ・プレゼンス設定画面内の自己のプレゼンス用写真の表示領域（例えば、画像表示領域３０１a）が選択された（或いはフォーカスが当てられた）とすると、プレゼンス用写真を取得するための「プレゼンス写真撮影」や「プレゼンス写真選択」等のメニュー項目をユーザが選択可能な状態となる。なお、ここでのメニュー項目は例えば、「写真編集」等の他のメニュー項目も当然選択可能であるが、本処理ではプレゼンスサーバ１０へ写真をアップロードするという点に着目し、メニュー項目は「プレゼンス写真撮影」と「プレゼンス写真選択」の２択であるものとみなす。
【００５６】
それらのメニュー項目からユーザが「プレゼンス写真撮影」を選択すれば（ステップＳ１０２：ＹＥＳ）、ステップＳ１０３１へ進む。「プレゼンス写真選択」を選択すれば（ステップＳ１０２：ＮＯ）、ステップ１０３２へ進む。
【００５７】
ステップＳ１０３１では、撮像部１２３のカメラを起動する。ユーザによる写真撮影により写真データ（オリジナル写真）が取得される。なお、写真撮影時に、オリジナル写真データの他に撮影時間と撮影場所（位置情報）を示すデータとが自動的に取得され、そのオリジナル写真データと関連づけられる構成であってもよい。その後、ステップＳ１０４へ進む。
【００５８】
ステップＳ１０３２では、データフォルダ内の写真一覧リストを表示し、ユーザにより選択された写真データ（オリジナル写真データ）が取得される。その後、ステップＳ１０４へ進む。
【００５９】
ステップＳ１０４では、ステップＳ１０３１或いはステップＳ１０３２において取得された写真を表示画面上に表示させる。
【００６０】
ステップＳ１０５では、オリジナル写真に対し、プレゼンス用写真として表示する範囲を指定するための枠を画面上に表示させる。ユーザは、枠を操作することにより、プレゼンス用写真の範囲を選択することができる（通常、オリジナル写真よりもプレゼンス用写真の方がサイズが小さい）。ユーザにより、枠の位置が決定されれば（ステップＳ１０６：ＹＥＳ）、ステップＳ１０７へ進む。なお、範囲に合わせてオリジナル写真を切り取るのみではなく、併せて縮小・拡大等の処理を行ってもよい。
【００６１】
ステップＳ１０７では、枠により切り取られたオリジナル写真（すなわちプレゼンス用写真）を登録プレゼンス情報に含めて、プレゼンスサーバ１０へアップロードする。その後、本処理は終了する。また、プレゼンス用写真とオリジナル写真の双方を登録プレゼンス情報に含めてプレゼンスサーバ１０にアップロードしてもよい。なお、ステップＳ１０５からステップＳ１０７に示される処理は、図３（b）におけるプレゼンス管理機能２０４の登録プレゼンス情報の生成機能により行われる。
【００６２】
或いは、ステップＳ１０７では、オリジナル写真データと、ステップＳ１０６により指定された枠の位置を示す情報である指定範囲情報（表示範囲情報）とを登録プレゼンス情報に含めてプレゼンスサーバ１０へアップロードする。その後、本処理は終了する。すなわち、この場合、プレゼンス用写真の生成処理はプレゼンスサーバ１０にて行われる。つまり、端末装置２０からのアップロード時には、プレゼンス用写真の範囲のみを指定し、プレゼンスサーバ１０に、オリジナル写真と指定範囲情報がアップロードされ、プレゼンスサーバ１０にて指定範囲に応じたプレゼンス用写真が作成されプレゼンスとして登録される。
【００６３】
図６（b）は、端末装置２０における、プレゼンスサーバ１０へ写真をアップロードするための処理の第二のパターンである。
【００６４】
ステップＳ１１１では、撮像部１２３のカメラを起動する。ユーザはカメラを用いて写真撮影を行う。なお、写真撮影時に、写真データの他に撮影時間と撮影場所（位置情報）を示すデータとが自動的に取得され、その写真データと関連づけられる構成であってもよい。
【００６５】
ステップＳ１１２では、ユーザにより撮影されたオリジナル写真を表示画面上に表示させる。
【００６６】
ステップＳ１１３では、オリジナル写真の表示画面上に、その写真をプレゼンス登録するためにユーザが選択可能なメニュー項目を表示させる。なお、メニューに限らず、ポップアップで選択可能であってもよい。ユーザが、メニュー項目の中からプレゼンス登録するメニュー項目を選択すれば（ステップＳ１１４：ＹＥＳ）、ステップＳ１１５へ進む。プレゼンス登録するメニュー項目を選択しなければ（ステップＳ１１４：ＮＯ）、プレゼンスサーバ１０へ写真をアップロードすることを目的とする本処理は終了する。
【００６７】
ステップＳ１１５からステップＳ１１７の処理は、図６（a）のステップＳ１０５からステップＳ１０７の処理と同様であるのでその説明は省略する。
【００６８】
図６（c）は、端末装置２０における、プレゼンスサーバ１０へ写真をアップロードするための処理の第三のパターンである。本パターンでは、ユーザが過去に撮影したオリジナル写真データ、或いは他の手段により取得したオリジナル写真データが、端末装置２０内の例えばデータフォルダ（フラッシュメモリ１０３内）等に予め格納されているものとする。
【００６９】
ステップＳ１２１は、ユーザ操作等により、データフォルダ内の複数のオリジナル写真の一覧（例えば、サムネイルやファイル名等）を表示画面上に表示させる。
【００７０】
ステップＳ１２２では、ユーザにより、表示されたオリジナル写真データの中からいずれか一つのオリジナル写真データが選択されたかどうかを判定する。ユーザがどれか一つのオリジナル写真データを選択したならば（ステップＳ１２２：ＹＥＳ）、ステップＳ１２３へ進む。いずれの写真をも選択していなければ（ステップＳ１２２：ＮＯ）、プレゼンスサーバ１０へ写真をアップロードすることを目的とする本処理は終了する。
【００７１】
ステップＳ１２３では、ユーザにより選択されたオリジナル写真を表示画面上に表示させる。
【００７２】
ステップＳ１２４では、オリジナル写真の表示画面右下のメニューに、その写真をプレゼンス登録するためにユーザが選択可能なメニュー項目を含めて表示させる。なお、メニューに限らず、ポップアップで選択可能であってもよい。
【００７３】
ステップＳ１２５からステップＳ１２８までの処理は、図６（b）のステップＳ１１４からステップＳ１１７までの処理と同様であるのでその説明は省略する。
【００７４】
なお、図６（b）に示す処理では、ステップＳ１２３において画面上にオリジナル写真を表示させるものとしたが、ステップＳ１２３の処理はなくてもよく、その代わりに、ステップＳ１２６において枠を画面上に表示させる前にオリジナル写真を画面上に表示させるようにしてもよい。
【００７５】
図７は、プレゼンスサーバ１０による処理を示す図である。本処理は、プレゼンスサーバ１０が、プレゼンス情報として登録プレゼンス情報を取得した場合に行われる処理である。言い換えれば、図６のステップＳ１０７、Ｓ１１７、Ｓ１２８の処理により写真データ（オリジナル写真データ或いはプレゼンス用写真データ、またはその双方）等を含む情報がアップロードされた時点で本処理は開始するものとする。
【００７６】
ステップＳ３０１では、端末装置２０からアップロードされた登録プレゼンス情報のうち写真データをＱＶＧＡサイズにする処理を行う。ここでは、オリジナル写真データをＱＶＧＡサイズとする処理を行う。
【００７７】
ステップＳ３０２では、日時情報や位置情報をログとして関連付けると共に、端末装置２０のユーザＡを示すユーザＩＤをさらに関連付ける。なお、写真撮影時或いはプレゼンス管理機能２０４により日時情報等が付された場合は、ここでは、日時情報等を関連付ける処理は省略される。
【００７８】
ステップＳ３０３では、アップロードされた登録プレゼンス情報に指定範囲情報が含まれているかどうかを判断する。すなわち、ステップＳ１０７、Ｓ１１７、Ｓ１２８において、プレゼンス用写真が登録プレゼンス情報に含められてプレゼンスサーバ１０へアップロードされたのであれば指定範囲情報が無く、オリジナル写真データと指定範囲情報とが登録プレゼンス情報に含められてプレゼンスサーバ１０へアップロードされたのであれば指定範囲情報が含まれている。指定範囲情報が含まれていれば（ステップＳ３０３：ＹＥＳ）、ステップＳ３０４へ進む。指定範囲情報がなければ（ステップＳ３０３：ＮＯ）、ステップＳ３０５へ進む。
【００７９】
ステップＳ３０４では、その指定範囲情報に基づいてオリジナル写真を切り取る処理を行い、プレゼンス用写真を生成する。その後、ステップＳ３０５へ進む。
【００８０】
ステップＳ３０５では、プレゼンス用写真をプレゼンス情報データベース１３にユーザＩＤと関連付けて登録する。プレゼンス用写真をプレゼンス情報データベース１３に登録する場合には、日時情報、位置情報、コメント等があれば、それらも関連付けて登録する。また、プレゼンス情報データベース１３には、オリジナル画像もプレゼンス用写真と共に登録されてもよい。また、プレゼンス用写真は上書き保存し、オリジナル写真は上書きせずに登録する構成であってもよい。すなわち、オリジナル写真をプレゼンスサーバ１０に蓄積させることは、例えば、ユーザが、日時情報等を用いて検察することにより過去のオリジナル写真を閲覧するといったサービスを提供可能にする。なお、ステップＳ３０５における処理は、プレゼンスサーバ１０のプレゼンス登録部１２において行われる（図１参照）。
【００８１】
ステップＳ３０６では、登録されたプレゼンス用写真のユーザＩＤを参照して、そのユーザに対して開示依頼を行っているユーザがいるかどうかを判断する（例えば、本実施形態では、端末装置３０のユーザＢが開示依頼を行っているユーザに該当する）。開示依頼を行っているユーザがいれば（ステップＳ３０６：ＹＥＳ）、ステップＳ３０７へ進む。開示依頼を行っているユーザがいなければ（ステップＳ３０６：ＮＯ）、本処理は終了する。
【００８２】
ステップＳ３０７では、プレゼンス用写真データを開示依頼を行っているユーザへ配信する（或いはプレゼンス用写真に更新があったことを通知するのみでもよい）。その後、本処理は終了する。
【００８３】
次に、図８は、端末装置３０による処理と、その処理に連携したプレゼンスサーバ１０の処理を示す図である。図８に示す処理は、図７のステップＳ３０７の処理によりプレゼンス用写真が配信されたところから開始するものである。
【００８４】
ステップＳ４０１では、プレゼンスサーバ１０より配信されたプレゼンス用写真データを取得して、プレゼンス用写真をそのユーザのプレゼンス情報として表示（更新）する。なお、ここでは、プレゼンス用写真は、例えば４０×４０ピクセルである。
【００８５】
ユーザは、プレゼンス用写真が取得された、すなわち更新のあったプレゼンスユーザの写真に関する詳細な情報を閲覧したい場合は、「詳細情報の表示」の指示をプレゼンスサーバ１０に送ることができる。ステップＳ４０２では、表示画面上に表示されているプレゼンス用写真に対して、「詳細情報の表示」の選択操作がなされたかどうかが判定される。「詳細情報の表示」の選択操作がなされたならば（ステップＳ４０２：ＹＥＳ）、ステップＳ４０３へ進む。「詳細情報の表示」の選択操作がなされなければ（ステップＳ４０２：ＮＯ）、本処理は終了する。なお、「詳細情報の表示」の選択操作とは、例えば、画面上に表示されているプレゼンス用写真にフォーカスを合わせて所定の操作ボタンを操作することにより選択することができる。
【００８６】
ステップＳ４０３では、そのプレゼンス用写真の「詳細情報の表示」の要求を示す情報をプレゼンスサーバ１０に送信する。
【００８７】
ここで、プレゼンスサーバ１０は詳細情報送信処理を開始する。ステップＳ５０１では、端末装置３０のステップＳ４０３による「詳細情報の表示」の要求情報を受信する。その後、プレゼンスサーバ１０は、その表示要求のあったプレゼンスユーザ（ここではユーザＡ）のユーザＩＤに対応する詳細情報（例えば、オリジナル写真、コメント、日時情報、位置情報等）をプレゼンス情報データベース１３から抽出し、端末装置３０に送信する（ステップＳ５０２）。その後、プレゼンスサーバ１０の本処理は終了する。
【００８８】
端末装置３０は、ステップＳ４０４において、プレゼンスサーバ１０により送信された詳細情報を取得し、オリジナル写真の表示、その他コメント等の表示を行い、その後、本処理は終了する。
【００８９】
図９（a）は、図６のステップＳ１０４、Ｓ１１２、Ｓ１２３におけるオリジナル写真の画面上の表示の一例を示す。オリジナル写真は画像表示領域４０１に表示される（例えば、オリジナル写真はＱＶＧＡサイズ）。また、画面右下部に配置されている「メニュー」には「プレゼンス登録」の選択肢が含まれている（ステップＳ１１３、Ｓ１２４）。ユーザが所定の操作により「プレゼンス登録」を選択すると（ステップＳ１１４、Ｓ１２５：ＹＥＳ）、或いは、オリジナル写真の表示後自動的に（ステップＳ１０４の場合）、図９（b）に示すような、範囲を設定する枠４０２が画面上に表示される（ステップＳ１０５、Ｓ１１５、Ｓ１２６）。枠４０２は、例えば、４０×４０ピクセルの範囲を示す。ユーザは枠４０１を移動させて任意の位置で決定を選択することができる。
【００９０】
図１０は、端末装置３０の画面の一例である。例えば、端末装置２０のユーザＡが町田さんであったとする。図１０に示す画面には、町田さんのプレゼンス用写真が、図９（b）において範囲が指定されたボールを示す写真となっている。なお、図１０において表示された画面は、プレゼンスサーバ１０からプレゼンス用写真を取得して表示した場合である（図８のステップＳ４０１）。
【００９１】
図１１は、図１０において、町田さんのプレゼンス用写真を選択した場合（図８のステップＳ４０２：ＹＥＳ）のＱＶＧＡサイズのプレゼンス用写真を表示している画面である。この場合は、オリジナル写真から切り取られた部分の写真のみがプレゼンスサーバ１０に登録されている場合である（すなわち、図６のステップＳ１０７、Ｓ１１７、Ｓ１２８において、プレゼンス用写真のみがプレゼンスサーバ１０へアップロードされた場合）。なお、図６のステップＳ１０７、Ｓ１１７、Ｓ１２８において、オリジナル写真データと指定範囲情報とが登録プレゼンス情報に含められてプレゼンスサーバ１０へアップロードされた場合に、町田さんのプレゼンス用写真を選択すると（図８のステップＳ４０２：ＹＥＳ）、図９（a）と同様の写真（オリジナル写真）が表示されることとなる。
【００９２】
また、図１０の画面では、プレゼンス情報としてプレゼンス用写真とプレゼンスユーザ名のみを表示している。この画面では、プレゼンス用写真が複数表示されている。例えば、プレゼンスユーザが現在オンライン状態であるかオフライン状態であるかを写真の枠の色で区別することができる。また、表示中のプレゼンス用写真が更新されたことを通知する点滅・ポップアップ表示等のＵＩを採用してもよい。また、プレゼンス用写真表示を「ＯＫ」に設定しているプレゼンスユーザのみプレゼンス用写真を変更したことを通知することとしてもよい。すなわち、それぞれプレゼンス情報を見る側（すなわち端末装置３０）で、プレゼンス用写真の表示有無を選択することができる。つまり、プレゼンス用写真の表示を選択していない人に対しては更新を知らせる必要はない。
【００９３】
以上、本発明に係るシステムについての説明を行った。本発明によれば、写真撮影を行ってプレゼンス情報を更新するという比較的手軽な手順により、プレゼンス情報の登録を積極的に行う利用形態の確立が期待できる。すなわち、ユーザが今現在どこにいるか、何をしているかといった情報をプレゼンス情報として、カメラ付携帯で手軽に更新することができる。また、蓄積された写真により、ブログサービス等を提供することも可能である。
【００９４】
また、本発明によれば、マイ・プレゼンスの登録処理を司るモジュール（プレゼンス管理機能２０４）と撮像部１２３或いはフラッシュメモリ１０３内の図示しないデータフォルダの写真データを制御するモジュールとがプレゼンス登録に関するデータや命令の受け渡しに関してスムーズに実行可能に設計されている。そのことにより、ユーザがマイ・プレゼンス画面からプレゼンス写真撮影、プレゼンス写真選択の指示（例えば、メニューの選択をする）を行うと、カメラが自動的に起動されて容易にプレゼンス用の写真を撮影することや、データフォルダの写真データリストが自動的に表示されてプレゼンス用の写真を選択することが容易にできる。
【００９５】
また、撮像部１２３を用いて撮影された写真を表示する画面やデータフォルダの写真リストのうち何れかの写真が選択された状態の画面から、例えば、当該写真を「プレゼンス登録」するメニューが選択されることで、引き続いてプレゼンス登録処理に移行することが可能に設計されている。即ち、撮像部１２３で撮像された写真やデータフォルダ（図示なし）の写真を制御するモジュールと、プレゼンス管理機能２０４とが、プレゼンス登録に関する写真等のデータや命令の受け渡しに関して連携するように設定されている。これによって、ユーザは、写真撮影またはデータフォルダからの写真選択に引き続いてその写真をプレゼンス登録する処理へと容易に移行することが可能となる。
【００９６】
また、本発明に係るプレゼンス管理システム、プレゼンス管理方法およびプレゼンス登録装置は、上記の構成に限定されるものではなく、その趣旨を逸脱しない範囲で種々の変形が可能である。
【００９７】
例えば、撮像部１２３による撮像動作等により「写真」を取得したが、「動画」を取得し、「動画」を登録プレゼンス情報として用いることも可能である。また、プレゼンス情報を見せる側である端末装置２０は、撮像部１２３を必ずしも備えておらず、外部機器によって撮像された写真データを用いて登録プレゼンス情報を生成してもよい。
【図面の簡単な説明】
【００９８】
【図１】本発明のシステムを示す図である。
【図２】本発明のシステムに用いられる端末装置のハードウェア構成を示す図である。
【図３】本発明のシステムに用いられる端末装置の機能ブロック図である。
【図４】マイ・プレゼンス編集画面への画面遷移を示す図である。
【図５】マイ・プレゼンスを変更する際の画面遷移を示す図である。
【図６】写真をプレゼンスサーバへアップロードする処理を示す図である。
【図７】プレゼンスサーバにおける登録処理を示す図である。
【図８】プレゼンスサーバから写真を取得して表示する端末装置の処理を示す図である。
【図９】オリジナル写真の画面上の表示を示す図である。
【図１０】プレゼンス情報を表示する画面の一例である。
【図１１】プレゼンス用写真の画面上の表示を示す図である。
【図１２】端末とプレゼンスサーバとにより構成されるプレゼンスシステムを説明するための図である（従来例）。
【符号の説明】
【００９９】
１  システム
１０  プレゼンスサーバ
１２  プレゼンス登録部
１３  プレゼンス情報データベース
２０，３０  端末装置
１０４  無線通信制御部
１０５  アンテナ
１１１  液晶ディスプレイ
１２３  撮像部
２０１  ＰＩＭアプリケーション
２０２  アドレス帳機能
２０３  インスタントメッセージ（ＩＭ）機能
２０４  プレゼンス管理機能
２０５  スケジューラ
４０１  画像表示領域
４０２  枠
【図１】
2007124451.tif 000003
【図２】
2007124451.tif 000004
【図３】
2007124451.tif 000005
【図４】
2007124451.tif 000006
【図５】
2007124451.tif 000007
【図６】
2007124451.tif 000008
【図７】
2007124451.tif 000009
【図８】
2007124451.tif 000010
【図９】
2007124451.tif 000011
【図１０】
2007124451.tif 000012
【図１１】
2007124451.tif 000013
【図１２】
2007124451.tif 000014